(57)【要約】【課題】本発明は、チューブを保持する保持板に設けたボールプランジャのボールをチューブの周面に当接させて、各チューブの確実な保持を行うことを目的とする。【解決手段】本発明によるチューブマウント構造は、各保持孔(4,5)に対応して保持板(2,3)に形成されたねじ穴(20,21)と、前記各ねじ穴(20,21)に螺入されたボールプランジャ(24)と、前記各ボールプランジャ(24)のボール(22)がスプリングにより各チューブ(13,14)の周面に当接する構成である。【選択図】図１
2008089551.tif 000002
【特許請求の範囲】
【請求項１】
箱体(1)内に設けられ複数の保持孔(4,5)を有する長手形状の保持板(2,3)と、前記箱体(1)の底面(10)に形成された保持凹部(11,12)と、前記保持孔(4,5)を貫通して設けられたチューブ(13,14)とを備え、
前記チューブ(13,14)の下端部(13A,14A)は前記保持凹部(11,12)に係合されているチューブマウント構造において、
前記各保持孔(4,5)に対応して前記保持板(2,3)に形成されたねじ穴(20,21)と、前記ねじ穴(20,21)に螺合されたボールプランジャ(24)とを備え、
前記ボールプランジャ(24)の先端のボール(22)が、前記ボールプランジャ(24)内のスプリングにより、前記チューブ(13,14)の周面(13B,14B)に当接するように構成したことを特徴とするチューブマウント構造。
【請求項２】
前記保持板(2,3)は、複数個並列に設けられていることを特徴とする請求項１記載のチューブマウント構造。
【発明の詳細な説明】
【技術分野】
【０００１】
本発明は、チューブマウント構造に関し、特に、チューブの周面にボールプランジャを当接させることにより、鍔の有無に拘わらず、チューブを所定位置に固定し、分注を確実に行うことができるようにするための新規な改良に関する。
【背景技術】
【０００２】
従来、用いられていたこの種のチューブマウント構造としては、例えば、特許文献１に開示されている構成を挙げることができるが、具体的には図３から図１０で示される構成が採用されていた。
すなわち、図３において符号１で示されるものは、上部開放型の箱体であり、この箱体１内には一対の第１、第２保持板２，３が並設されている。
【０００３】
前記第１保持板２には、その長手方向に沿って複数の第１保持孔４が形成され、前記第２保持板３には、その長手方向に沿って複数の第２保持孔５が所定の間隔で形成されている。
【０００４】
次に、図４は図３の断面構造を示すもので、前記箱体１の底面１０には、前記第１、第２保持孔４，５に対応して第１、第２保持凹部１１，１２が形成されている。
前記各第１保持孔４に挿入して設けられ図８〜図１０で示される第１チューブ１３の下端部１３Ａは前記第１保持凹部１１内に係合して位置決めされ、前記各第２保持孔５に挿入して設けられ図５から図７で示される第２チューブ１４の下端部１４Ａは前記第２保持凹部１２内に係合して位置決めされている。
【０００５】
前記第２保持板３の近傍位置には、この第２保持板３と一部が重合する状態で押え板１５が設けられ、この押え板１５の両端は、前記底面１０上に植設された一対の柱１６とねじ体１７によって保持されている。
前記押え板１５の一側に形成された各凹溝１５ａは、前記第２チューブ１４の周面の一部で各鍔部１４ａ，１４ｂ間に係合し、各第２チューブ１４の上部を支持している。
【０００６】
【特許文献１】特開２００６−１９４６７１号公報
【発明の開示】
【発明が解決しようとする課題】
【０００７】
従来のチューブマウント構造は、以上のように構成されていたため、次のような課題が存在していた。
すなわち、各保持板の各保持孔に保持された各チューブは垂直に支持されていないと、試薬を吸入／吐出する際に分注装置のノズルがチューブ内に入れない等の支障を起こすことがあるため、図４のように、押え板を用いて第２チューブの上部の鍔部を押えなければならず、各チューブを交換する場合には、この押え板を外す必要があり、チューブの脱着には時間と労力を必要としていた。
また、この押え板を用いないで支持する第１チューブの場合には、鍔部を用いていないため、第１保持孔と第１チューブとの位置決めが十分ではなく、第１チューブを垂直に保持することは極めて困難であった。
【課題を解決するための手段】
【０００８】
本発明によるチューブマウント構造は、箱体内に設けられ複数の保持孔を有する長手形状の保持板と、前記箱体の底面に形成された保持凹部と、前記保持孔を貫通して設けられたチューブとを備え、前記チューブの下端部は前記保持凹部に係合されているチューブマウント構造において、前記各保持孔に対応して前記保持板に形成されたねじ穴と、前記ねじ穴に螺合されたボールプランジャとを備え、前記ボールプランジャの先端のボールが、前記ボールプランジャ内のスプリングにより、前記チューブの周面に当接するようにした構成であり、また、前記保持板は、複数個並列に設けられている構成である。
【発明の効果】
【０００９】
本発明によるチューブマウント構造は、以上のように構成されているため、次のような効果を得ることができる。
すなわち、チューブの周面にボールプランジャの先端のボールをスプリングの付勢によって押付けているため、チューブに対して摩擦抵抗が発生し、ある一定の挿抜方向の力に対してチューブが移動しにくく、チューブの垂直な保持を達成することができる。
また、ボールプランジャはねじで固定されているため、ねじ込み量を調整することにより、容易に摩擦力の調整を行うことができる。
また、チューブの周面にボールプランジャが当接しているため、鍔の有無に関係なくチューブの確実な固定を行うことができる。
【発明を実施するための最良の形態】
【００１０】
本発明は、チューブの周面にボールプランジャを当接させることにより、鍔の有無に拘わらず、チューブを所定位置に固定し、分注を確実に行うことができるようにしたチューブマウント構造を提供することを目的とする。
【実施例】
【００１１】
以下、図面と共に本発明によるチューブマウント構造の好適な実施の形態について説明する。
尚、従来例と同一又は同等部分には同一符号を付して説明する。
図１において符号１で示されるものは、上部開放型の箱体であり、この箱体１内には一対の第１、第２保持板２，３が並設されている。
【００１２】
前記第１保持板２には、その長手方向に沿って複数の第１保持孔４が形成され、前記第２保持板３には、その長手方向に沿って複数の第２保持孔５が所定の間隔で形成されている。
【００１３】
次に、図２は図１の断面構造を示すもので、前記箱体１の底面１０には、前記第１、第２保持孔４，５に対応して第１、第２保持凹部１１，１２が形成されている。
前記各第１保持孔４に挿入して設けられた第１チューブ１３の下端部１３Ａは前記第１保持凹部１１内に係合して位置決めされ、前記各第２保持孔５に挿入して設けられた第２チューブ１４の下端部１４Ａは前記第２保持凹部１２内に係合して位置決めされている。
【００１４】
前記各保持板２，３内に形成されたねじ孔２０，２１内には、周知の構造、すなわち、ボール２２とスプリング(図示せず)とねじ部２３とからなるボールプランジャ２４が螺合されている。
【００１５】
前記各保持板２，３に形成された各ねじ穴２０，２１は、各保持板２，３の面と平行な方向に形成され、各ボールプランジャ２４のボール２２が各チューブ１３，１４の周面１３Ｂ，１４Ｂに当接して、各チューブ１３，１４が各保持孔４，５内に確実に位置決めかつ保持されている。
【００１６】
前述の場合、各チューブ１３，１４の周面１３Ｂ，１４Ｂのボールプランジャ２４のボール２２をスプリング(図示せず)の付勢によって押付けているため、各チューブ１３，１４に対して十分な摩擦抵抗が発生し、ある一定の挿抜方向の力に対して各チューブ１３，１４が移動しにくく、各チューブ１３，１４の垂直な保持を達成することができる。
【００１７】
また、ボールプランジャ２４はねじ部２３で固定されているため、このねじ部２３のねじ込み量を調整することにより、容易に摩擦力の調整を行うことができる。
また、各チューブ１３，１４の周面１３Ｂ，１４Ｂにボールプランジャ２４が当接しているため、各鍔部１４ａ，１４ｂの有無に関係なく各チューブ１３，１４の確実な固定を行うことができる。
【図面の簡単な説明】
【００１８】
【図１】本発明によるチューブマウント構造を示す平面図である。
【図２】図１の断面図である。
【図３】従来の構成を示す平面図である。
【図４】図３の断面図である。
【図５】本発明及び従来の複数のチューブを示す平面図である。
【図６】図５の正面図である。
【図７】図６の側面図である。
【図８】本発明及び従来の他の複数のチューブを示す平面図である。
【図９】図８の正面図である。
【図１０】図９の側面図である。
【符号の説明】
【００１９】
１    箱体
２    第１保持板
３    第２保持板
４    第１保持孔
５    第２保持孔
１０    底面
１１    第１保持凹部
１２    第２保持凹部
１３    第１チューブ
１３Ａ，１４Ａ    下端部
１３Ｂ，１４Ｂ    周面
１４    第２チューブ
１４ａ，１４ｂ    鍔部
２０，２１    ねじ穴
２２    ボール
２３    ねじ部
２４    ボールプランジャ
【図１】
2008089551.tif 000003
【図２】
2008089551.tif 000004
【図３】
2008089551.tif 000005
【図４】
2008089551.tif 000006
【図５】
2008089551.tif 000007
【図６】
2008089551.tif 000008
【図７】
2008089551.tif 000009
【図８】
2008089551.tif 000010
【図９】
2008089551.tif 000011
【図１０】
2008089551.tif 000012